(57)【要約】【課題】可搬性を向上できる照明器具を提供すること。【解決手段】器具本体１０の照射開口１１にグローブ１６と、前記グローブ１６を覆うガード１８とを備え、前記照射開口１１の縁部の全周に、前記グローブ１６が嵌まり込むフランジ部４０を備え、前記フランジ部４０には、前記グローブ１６を固定する複数のグローブ固定部２０を一体に備え、前記グローブ固定部２０同士を連結して成る把持部５１を一体に備える防爆型の照明器具１を構成した。【選択図】図１
2015026627.tif 000002
【特許請求の範囲】
【請求項１】
器具本体の照射開口にグローブと、前記グローブを覆うガードとを備え、
前記照射開口の縁部の全周に、前記グローブが嵌まり込むフランジ部を備え、
前記フランジ部には、前記グローブを固定する複数のグローブ固定部を一体に備え、
前記グローブ固定部同士を連結して成る把持部を一体に備えることを特徴とする照明器具。
【請求項２】
前記グローブ固定部は、前記フランジ部を補強する複数のフランジ補強部を構成していることを特徴とする請求項１に記載の照明器具。
【請求項３】
前記器具本体内に、ＬＥＤ基板を載置した放熱板を前記フランジ部に合わせた位置に保持したことを特徴とする請求項１または２に記載の照明器具。
【発明の詳細な説明】
【技術分野】
【０００１】
本発明は、照明器具の可搬性を向上する技術に関する。
【背景技術】
【０００２】
地下に設けられた電力ケーブル、ガス管、通信ケーブル等の共同溝、或いは石油化学プラント等の工場では漏洩ガスによる着火のおそれがあるため、照明器具として耐圧防爆型または安全増防爆型の器具が使用されている（例えば、特許文献１、特許文献２参照）。
【先行技術文献】
【特許文献】
【０００３】
【特許文献１】特開２００５−１５０００３号公報
【特許文献２】特開平９−６３３４９号公報
【発明の概要】
【発明が解決しようとする課題】
【０００４】
しかしながら、耐圧防爆型または安全増防爆型の照明器具は、重量が非常に重く持ち運びが容易ではない。また例え重量が軽い場合であっても、照明器具の構造によっては、持ち難くて持ち運びが容易でないこともある。
本発明は、上述した事情に鑑みてなされたものであり、可搬性を向上できる照明器具を提供することを目的とする。
【課題を解決するための手段】
【０００５】
上記目的を達成するために、本発明は、器具本体の照射開口にグローブと、前記グローブを覆うガードとを備え、前記照射開口の縁部の全周に、前記グローブが嵌まり込むフランジ部を備え、前記フランジ部には、前記グローブを固定する複数のグローブ固定部を一体に備え、前記グローブ固定部同士を連結して成る把持部を一体に備えることを特徴とする照明器具を提供する。
【０００６】
また本発明は、上記照明器具において、前記グローブ固定部は、前記フランジ部を補強する複数のフランジ補強部を構成していることを特徴とする。
【０００７】
また本発明は、上記照明器具において、前記器具本体内に、ＬＥＤ基板を載置した放熱板を前記フランジ部に合わせた位置に保持したことを特徴とする。
【発明の効果】
【０００８】
本発明によれば、把持部を備えるため、器具の持ち運びが容易となり、また設置作業時の作業性が良好となる。さらに、照射開口の縁部に一体に突設したグローブ固定部を連結して把持部を一体に設けたため、把持部が器具本体に強固に設けられる。
【図面の簡単な説明】
【０００９】
【図１】本発明の実施形態に係る照明器具の設置状態を示す図であり、（Ａ）は下側から見た斜視図、（Ｂ）は上側からみた斜視図である。
【図２】照明器具の構成を示す図であり、（Ａ）は正面図、（Ｂ）は底面図、（Ｃ）は背面図である。
【図３】照明器具の断面図である。
【図４】器具本体の斜視図である。
【図５】図１（Ｂ）の点線で囲んで示したグローブ固定部を含む部位Ａの拡大図である。
【図６】光源をＬＥＤとしたときの照明器具を示す図であり、（Ａ）は断面図、（Ｂ）は底面図である。
【図７】本発明の変形例に係る照明器具を示す図である。
【図８】本発明の他の態様に係る照明器具を示す図である。
【発明を実施するための形態】
【００１０】
以下、図面を参照して本発明の実施形態について説明する。なお、以下の説明では、防爆型の照明器具を例示する。
図１は本実施形態に係る照明器具１の設置状態を示す図であり、図１（Ａ）は下側から見た斜視図、図１（Ｂ）は上側からみた斜視図である。図２は照明器具１の構成を示す図であり、図２（Ａ）は正面図、図２（Ｂ）は底面図、図２（Ｃ）は背面図である。図３は照明器具１の断面図である。
照明器具１は、図１に示すように、天井面に既設の端子ボックス２に取り付けて設置される。端子ボックス２は、照明器具１の取付ベースとして供されるとともに、商用電力を照明器具１に供給するものであり、複数の固定脚４を備え、当該固定脚４を天井面にボルト等で照明器具１の荷重に耐え得るように強固に固定して設置されている。
また端子ボックス２には、商用電力の電力線を引き込むための開口５と、照明器具１の電力線を引き込む開口（図示略）が設けられており、それぞれから引き込まれた電力線が端子ボックス２の中で結線され、照明器具１に商用電力が供給される。
なお、端子ボックス２には、４方向に開口５が設けられており、適宜の開口５から電力線を引き込み、また他の照明器具１への送り配線を引き出し可能に構成されており、使用しない開口５は例えばプラグ等で閉塞される。
【００１１】
照明器具１は、照射面（本実施形態では床面）に対面する底面側が開放して照射開口１１が設けられた箱型の器具本体１０を備える。器具本体１０は、熱伝導性が高い例えばアルミニウム合金等の金属材をダイカストで成形して成り、図１（Ｂ）に示すように、設置面（本実施形態では天井面）に対面する本体上面１０Ａには、放熱性を高めるための複数本の凸条１２と、端子ボックス２と連結される連結部１４とが設けられている。
【００１２】
また図１（Ａ）及び図２（Ｂ）に示すように、照明器具１は、照射開口１１に、当該照射開口１１を閉塞する所定厚み（例えば５ｍｍ厚）の強化ガラス製であって平面視矩形状の平板状のグローブ１６と、当該グローブ１６を保護する格子状のガード１８とを備えている。なお、各図面において、照明器具１の内部を示すためにガード１８を点線で示している。
これらグローブ１６及びガード１８の器具本体１０への取付構造については後述する。
【００１３】
図３に示すように、器具本体１０の内部は、仕切板２４によって照射開口１１側の光源収納室２６と、取付面側の電気ボックス収納室２８とに仕切られている。仕切板２４は、図３及び図４に示すように、器具本体１０の天面１０Ｋに立設した複数の支持体２９にネジ止めされている。
光源収納室２６では、図２（Ｂ）に示すように、ソケット２５を固定したソケット固定板２７が仕切板２４に設けられ、このソケット２５にコンパクト蛍光ランプ３０（以下、単に「ランプ３０」と称する）が装着されている。また、ランプ３０の左右両側、及び仕切板２４との間には、それぞれ反射板３２、３４が仕切板２４に固定して設けられている。
【００１４】
電気ボックス収納室２８には、図３に示すように、防爆耐圧構造を有する鋳物の容器体３６が収納されネジなどで強固に固定されており、この容器体３６にランプ３０を点灯するインバータ安定器が収められている。
【００１５】
光源収納室２６は、照射開口１１がグローブ１６で覆われることで閉塞されるが、図３及び図４に示すように、器具本体１０の照射開口１１の全周には外側に膨出したフランジ部４０が一体に形成され、このフランジ部４０に防水用のパッキン４２が嵌め込まれる嵌込溝４４が形成され、図３に示すように、フランジ部４０に上記グローブ１６がパッキン４２を挟んで嵌め込まれている。
【００１６】
グローブ１６は、図１〜図３に示すように、その一辺が器具本体１０のフランジ部４０にヒンジ１９でヒンジ結合されて開閉自在に成されるとともに、その開閉端側の一辺が器具本体１０にネジ止めされて器具本体１０に固定される。
具体的には、照射開口１１の縁部であるフランジ部４０には外側に膨出するように一体に突設されたグローブ固定部２０が同じ辺上で離間した２箇のそれぞれに設けられている。これらグローブ固定部２０には、送りネジと螺合するネジ孔が形成されており、グローブ固定片４８が送りネジ４６（図２（Ｂ））でネジ止めされ、このグローブ固定片４８にグローブ１６の開閉端側がネジ止めされている。
【００１７】
図２（Ｂ）及び図３に示すように、ヒンジ結合箇所には、ガード支持片４９がネジ止め固定され、またグローブ固定片４８のグローブ１６側の先端部がＬ字状に起立してガード支持部４８Ａが形成され、これらガード支持片４９、及びガード支持部４８Ａに上記ガード１８がネジ止め固定されることでグローブ１６と隙間を設けて支持され、これらガード支持片４９、及びガード支持部４８Ａを通じてグローブ１６に連結される。
【００１８】
図５は、図１（Ｂ）の点線で囲んで示したグローブ固定部２０を含む部位Ａの拡大図である。
同図に示すように、グローブ固定部２０とフランジ部４０と繋がる接続端部２０Ａは、他の箇所よりも設置面側（電気ボックス収納室２８側）に膨出して肉厚になされており、器具本体１０と強固に結合されている。そして、これら２つのグローブ固定部２０を連結する連結棒５０を一体に成形することで、手で掴んで把持できる把持部５１が設けられている。
これにより、照明器具１の運搬時には把持部５１を把持することで容易に持ち運ぶことができ可搬性の向上が図られる。さらに設置時には、把持部５１を把持して端子ボックス２に取り付けることができ、設置作業が容易となる。
またグローブ固定部２０を連結して把持部５１を一体に設けたため、把持部５１が器具本体１０に強固に設けられる。
【００１９】
また例えばフランジ部４０に指を引っ掛け、或いはガード１８を掴んで照明器具１を持ち上げた場合、照射開口１１或いはグローブ１６に予期せぬ力が加わり変形等による歪みが生じ気密性が損なわれる、という問題がある。特に防爆型の照明器具１にあっては、インバータ安定器を収容する容器体３６が鋳物で構成される等して重量が１０ｋｇ前後と重いことから、フランジ部４０やグローブ１６を持ったときには、かかる問題が顕著となる。さらに、フランジ部４０やグローブ１６を持つ場合、照明器具１をしっかりと把持できないため、手を滑らせて照明器具１を落とす虞があり、この場合、落下による端部及びガード１８への外力による変形によりグローブ１６とパッキン４２との密着性に不具合が発生する。
【００２０】
これに対して、本実施形態では、照射開口１１の縁部の全周にフランジ部４０を設け、当該フランジ部４０にグローブ固定部２０を設けて把持部５１を設けているため、照射開口１１がフランジ部４０で補強され、また把持部５１を把持したときの荷重がフランジ部４０で分散されて照射開口１１に直接加わることがなく、当該照射開口１１の変形を防止できる。
【００２１】
ここで、器具本体１０は、光源をランプ３０からＬＥＤ７０（図６）に置き換え可能に構成されている。すなわち、前掲図４に示すように、器具本体１０の内側壁１０Ｌには、天面１０Ｋから照射開口１１に向かって延びる複数のリブ６０が形成されている。光源をＬＥＤ７０とする場合、仕切板２４等の内蔵部品に代えて、図６（Ａ）に示すように、高熱伝導性材から形成された放熱板６２が各リブ６０に取り付けられ、この放熱板６２と天面１０Ｋの間にＬＥＤ７０の電源回路を収めた防爆耐圧構造の容器体６８が収納されている。
【００２２】
放熱板６２は、図６（Ｂ）に示すように、縁部６２Ａが器具本体１０の内側壁１０Ｌに接する程度に延び、放熱板６２と器具本体１０とが熱的に結合されており、この放熱板６２の面上に、ＬＥＤ７０が実装された複数のＬＥＤ基板７１が直接固定されている。これにより、各ＬＥＤ７０の発熱が放熱板６２を通じて器具本体１０に伝えられて放熱されることとなる。
また、図６（Ａ）に示すように、放熱板６２は、器具本体１０のフランジ部４０の近傍に位置する高さにリブ６０で保持されており、フランジ部４０がヒートマスとなって放熱板６２の熱が吸収され易くなり、近くに配置されたＬＥＤ７０の冷却性能が高められている。
【００２３】
以上説明したように、本実施形態によれば、器具本体１０に把持部５１を備えるため、器具の持ち運びが容易となり、また設置作業時の作業性が良好となる。さらに、照射開口１１の縁部に一体に突設したグローブ固定部２０を連結して把持部５１を一体に設けたため、把持部５１が器具本体１０に強固に設けられる。
【００２４】
また本実施形態によれば、照射開口１１の縁部の全周に、グローブ１６が嵌まり込むフランジ部４０を備え、当該フランジ部４０に上記グローブ固定部２０を設けて把持部５１を設ける構成としたため、照射開口１１がフランジ部４０で補強され、また把持部５１を把持したときの荷重がフランジ部４０で分散されて照射開口１１に直接加わることがなく、当該照射開口１１の変形を防止できる。
【００２５】
また本実施形態によれば、器具本体１０内に、ＬＥＤ基板７１を載置した放熱板６２をフランジ部４０に合わせた位置に保持する構成としたため、フランジ部４０がヒートマスとなって放熱板６２の熱が吸収され易くなり、近くに配置されたＬＥＤ７０の冷却性能が高められる。
【００２６】
なお、上述した実施形態は、あくまでも本発明の一態様を示すものであって、本発明の趣旨を逸脱しない範囲で任意に変形及び応用が可能である。
【００２７】
例えば、上述した実施形態では、照射開口１１の片側にのみ把持部５１を設ける構成を例示したが、これに限らない。すなわち、図７に示すように、器具本体１１０のフランジ部４０に、グローブ１６のヒンジ１９ごとにヒンジ固定部１２０をグローブ固定部２０と同様に一体に設け、当該ヒンジ固定部１２０を連結して把持部１５１を一体に設けることで、器具本体１１０の両側に把持部５１、１５１を備えた照明器具１を構成しても良い。この場合、把持部１５１にあっては、ヒンジ固定部１２０がグローブ固定部２０に相当する。
また、図７に示すように、フランジ部４０の強度増加およびＬＥＤ基板７１の放熱性をより高めるため、フランジ部４０の外周にフィン１８０を形成しても良い。当該フィン１８０を形成する箇所は、ＬＥＤ基板７１のヒートマスとして機能するフランジ部４０であれば任意であるが、ＬＥＤ基板７１と器具本体１１０とが近接、或いは接する箇所に対応して設けることが好ましい。
【００２８】
また例えば、２つのグローブ固定部２０を連結して１つの把持部５１を構成したが、これに限らず３つ以上のグローブ固定部２０を連結して１つの把持部５１を構成しても良い。また器具本体１０、及び照射開口１１の平面視形状は矩形以外に円形であっても良い。
【００２９】
また上述した実施形態では、グローブ固定部２０（ヒンジ固定部１２０）同士を連結して把持部５１（把持部１５１）を構成したが、これに限らない。
すなわち、図８に示すように、グローブ固定部２２０が照射開口１１の内側に向けて突設されている器具本体２１０の照明器具２００においては、照射開口１１の縁部の全周に亘って設けたフランジ部４０に、上記接続端部２０Ａと略同一形状の複数のフランジ補強部２２１を設け、これらフランジ補強部２２１同士を連結棒５０で連結して把持部５１を器具本体２１０に一体に設ける構成としても良い。
また、図８に示すように、グローブ１６を照射開口１１の縁部に内ヒンジ２１９によりヒンジ結合されている場合には、ヒンジ結合側においても、フランジ補強部２２１を設けて把持部５１を一体に構成しても良い。
【００３０】
また例えば、本発明は、防爆型や安全増型の照明器具に限らず、照射開口にグローブを備える照明器具であれば、任意の照明器具に適用できる。
【符号の説明】
【００３１】
１、１００、２００  照明器具
１０、１１０、２１０  器具本体
１１  照射開口
１６  グローブ
１８  ガード
１９  ヒンジ
２０、２２０  グローブ固定部
２０Ａ  接続端部
４０  フランジ部
４２  パッキン
４４  嵌込溝
４８  グローブ固定片
５０  連結棒
５１、１５１  把持部
６０  リブ
６２  放熱板
７０  ＬＥＤ
７１  ＬＥＤ基板
１１０  器具本体
１２０  ヒンジ固定部
２１９  内ヒンジ
２２１  フランジ補強部
【図１】
2015026627.tif 000003
【図２】
2015026627.tif 000004
【図３】
2015026627.tif 000005
【図４】
2015026627.tif 000006
【図５】
2015026627.tif 000007
【図６】
2015026627.tif 000008
【図７】
2015026627.tif 000009
【図８】
2015026627.tif 000010